(57)【要約】【課題】  フォンモジュールと放送モジュールを含んで移動通信サービスとデジタル放送サービスを一緒に提供するデジタル放送受信兼用移動通信端末及びデジタル放送受信専用端末がデジタル放送プログラム情報を案内する方法を提供する。【解決手段】  フォンモジュールは、放送モジュールがデジタル放送プログラム案内データを受信してフォンモジュール及び放送モジュールに既保存されたデジタル放送プログラム案内データをアップデートするように放送モジュールのオン/オフを制御し、フォンモジュールに保存されたデジタル放送プログラム案内データに基づいてデジタル放送プログラム案内情報を出力し、放送モジュールは、フォンモジュールの制御によりオンされて放送モジュールに既保存されたデジタル放送プログラム案内データをアップデートし、そのデジタル放送プログラム案内データをフォンモジュールに伝達した後にオフされることを特徴とする。【選択図】  図２
2006005935.tif 000002
【特許請求の範囲】
【請求項１】
フォンモジュールと放送モジュールを含むデジタル放送受信兼用移動通信端末であって、
前記放送モジュールは、周期的に活性化/非活性化され、活性化された状態でデジタル放送プログラム案内データを受信し、受信されたデジタル放送プログラム案内データを前記フォンモジュールに伝達し、
前記フォンモジュールは、前記放送モジュールが周期的に活性化されるように制御し、前記放送モジュールから伝達されるデジタル放送プログラム案内データを保存し、前記保存されたデジタル放送プログラム案内データを利用してデジタル放送プログラム案内情報を出力することを特徴とするデジタル放送受信兼用移動通信端末。
【請求項２】
前記フォンモジュールは、前記放送モジュールから伝達されたデジタル放送プログラム案内データを保存する保存部と、
前記放送モジュールの活性化/非活性化を制御し、既設定された出力オプションに基づいて前記保存部に保存されたデジタル放送プログラム案内データを利用したデジタル放送プログラム案内情報の生成及び出力を制御する制御部と、
前記制御部の制御により前記デジタル放送プログラム案内情報を出力する出力部と、
を含むことを特徴とする請求項１に記載のデジタル放送受信兼用移動通信端末。
【請求項３】
前記制御部は、前記出力オプションがすべてのデジタル放送プログラム情報を出力するように設定された場合、前記保存部に保存されたデジタル放送プログラム案内データに基づいてすべてのチャンネル及び時間帯別デジタル放送プログラム情報を生成して出力するように制御することを特徴とする請求項２に記載のデジタル放送受信兼用移動通信端末。 
【請求項４】
前記制御部は、前記出力オプションが使用者が指定した選好チャンネルについてのデジタル放送プログラム情報を出力するように設定された場合、前記保存部に保存されたデジタル放送プログラム案内データに基づいて前記選好チャンネルについての時間帯別デジタル放送プログラム情報を生成して出力するように制御することを特徴とする請求項２に記載のデジタル放送受信兼用移動通信端末。 
【請求項５】
前記制御部は、前記出力オプションが特定時間についてのデジタル放送プログラム情報を出力するように設定された場合、前記保存部に保存されたデジタル放送プログラム案内データに基づいて前記特定時間についてのチャンネル別デジタル放送プログラム情報を生成して出力するように制御することを特徴とする請求項２に記載のデジタル放送受信兼用移動通信端末。
【請求項６】
前記制御部は、前記出力オプションが現在時間についてのデジタル放送プログラム情報を出力するように設定された場合、前記保存部に保存されたデジタル放送プログラム案内データに基づいて現在時間についてのチャンネル別デジタル放送プログラム情報を生成して出力するように制御することを特徴とする請求項２に記載のデジタル放送受信兼用移動通信端末。 
【請求項７】
前記放送モジュールは、前記デジタル放送プログラム案内データを前記フォンモジュールに伝達した後、前記放送モジュールで生成された制御信号に基づいて非活性化されることを特徴とする請求項１に記載のデジタル放送受信兼用移動通信端末。
【請求項８】
前記放送モジュールは、前記デジタル放送プログラム案内データを受信したフォンモジュールから伝達された制御信号に基づいて非活性化されることを特徴とする請求項１に記載のデジタル放送受信兼用移動通信端末。
【請求項９】
デジタル放送データを受信して出力するデジタル放送受信専用端末であって、
周期的にデジタル放送プログラム案内データを受信する受信部と,
受信されたデジタル放送プログラム案内データを保存するデジタル放送プログラム案内データ管理部と、
前記デジタル放送プログラム案内データ管理部に保存されたデジタル放送プログラム案内データを利用してデジタル放送プログラム案内情報を出力する出力部と、
前記受信部が周期的に活性化/非活性化されるように制御する制御部と、
を含むことを特徴とするデジタル放送受信専用端末。
【請求項１０】
前記制御部は、前記デジタル放送プログラム案内データを受信する際に、前記出力部の電源供給を遮断することを特徴とする請求項９に記載のデジタル放送受信専用端末。 
【請求項１１】
前記制御部は、前記デジタル放送プログラム案内情報を出力する際に、前記受信部の電源供給を遮断することを特徴とする請求項９に記載のデジタル放送受信専用端末。
【請求項１２】
前記制御部は、出力オプションに基づいてデジタル放送プログラム案内情報を出力するように制御することを特徴とする請求項９に記載のデジタル放送受信専用端末。
【請求項１３】
前記制御部は、前記出力オプションがすべてのデジタル放送プログラム情報を出力するように設定された場合、前記デジタル放送プログラム案内データ管理部に保存されたデジタル放送プログラム案内データに基づいてすべてのチャンネル及び時間帯別のデジタル放送プログラム情報を生成して出力するように制御することを特徴とする請求項１２に記載のデジタル放送受信専用端末。
【請求項１４】
前記制御部は、前記出力オプションが使用者が指定した選好チャンネルについてのデジタル放送プログラム情報を出力するように設定された場合、前記デジタル放送プログラム案内データ管理部に保存されたデジタル放送プログラム案内データに基づいて前記選好チャンネルについての時間帯別デジタル放送プログラム情報を生成して出力するように制御することを特徴とする請求項１２に記載のデジタル放送受信専用端末。
【請求項１５】
前記制御部は、前記出力オプションが特定時間についてのデジタル放送プログラム情報を出力するように設定された場合、前記デジタル放送プログラム案内データ管理部に保存されたデジタル放送プログラム案内データに基づいて前記特定時間についてのチャンネル別デジタル放送プログラム情報を生成して出力するように制御することを特徴とする請求項１２に記載のデジタル放送受信専用端末。
【請求項１６】
前記制御部は、前記出力オプションが現在時間についてのデジタル放送プログラム情報を出力するように設定された場合、前記デジタル放送プログラム案内データ管理部に保存されたデジタル放送プログラム案内データに基づいて現在時間についてのチャンネル別デジタル放送プログラム情報を生成して出力するように制御することを特徴とする請求項１２に記載のデジタル放送受信専用端末。
【請求項１７】
フォンモジュールと放送モジュールを含むデジタル放送受信用端末のデジタル放送プログラム情報案内方法であって、
既設定されたデジタル放送プログラム情報の検索条件が満足する場合、前記フォンモジュールが前記放送モジュールを活性化するための制御信号を生成する過程と、
前記活性化された放送モジュールがデジタル放送プログラム案内データを受信し、受信されたデジタル放送プログラム案内データを前記フォンモジュールに伝送して非活性化される過程と、
前記フォンモジュールに前記デジタル放送プログラム案内データを保存し、前記保存されたデジタル放送プログラム案内データを利用してデジタル放送プログラム案内情報を生成して出力する過程と、
を含むことを特徴とする方法。
【請求項１８】
前記通信端末が前記デジタル放送プログラム案内データが受信されたことを知らせる過程をさらに含むことを特徴とする請求項１７に記載の方法。
【請求項１９】
前記デジタル放送プログラム案内データは、使用者の要請によってまたは周期的に受信されることを特徴とする請求項１７に記載の方法。
【請求項２０】
前記デジタル放送プログラム案内情報の生成及び出力過程は、出力オプションによって実行されることを特徴とする請求項１７又は１９に記載の方法。
【請求項２１】
前記出力オプションは、使用者が指定した選好チャンネルまたは特定時間についてのデジタル放送プログラム情報が出力されるように既設定されることを特徴とする請求項２０に記載の方法。
【請求項２２】
前記デジタル放送プログラム案内情報の出力過程は、使用者の要求によりまたは周期的に実行されることを特徴とする請求項２０に記載の方法。
【請求項２３】
前記デジタル放送プログラム案内情報の出力過程は、前記放送モジュールが非活性化状態である際に実行されることを特徴とする請求項１７に記載の方法。
【請求項２４】
デジタル放送受信兼用移動端末であって、
周期的に活性化されてデジタル放送プログラム案内データを受信する放送モジュールと、
前記放送モジュールから伝送される前記デジタル放送プログラム案内データを保存する保存部と、
前記放送モジュールを周期的に活性化するための制御信号を生成し、デジタル放送プログラム案内情報の出力が要求される場合、前記保存されたデジタル放送プログラム案内データからデジタル放送プログラム案内情報を生成する制御部と、
を含んで構成されることを特徴とする移動端末。
【請求項２５】
前記放送モジュールは、前記デジタル放送プログラム案内データを伝送した後に非活性化されることを特徴とする請求項２４に記載の移動端末。
【請求項２６】
前記制御部は、前記デジタル放送プログラム案内情報を前記放送モジュールが非活性化状態である際に生成することを特徴とする請求項２５に記載の移動端末。
【請求項２７】
前記制御部は、既設定された出力オプションによって前記デジタル放送プログラム案内情報を生成することを特徴とする請求項２４に記載の移動端末。
【請求項２８】
前記出力オプションは、使用者により指定された選好チャンネルまたは特定時間であることを特徴とする請求項２７に記載の移動端末。
【発明の詳細な説明】
【技術分野】
【０００１】
本発明は、デジタル放送プログラム情報を案内するデジタル放送受信用端末及びその方法に関し、特に、移動通信サービスとデジタル放送サービスを一緒に提供するデジタル放送受信兼用移動通信端末及びデジタル放送受信専用端末がデジタル放送プログラム情報を案内する方法及びその端末に関する。
【背景技術】
【０００２】
最近、移動通信端末機を利用したデジタル放送、特に、デジタルマルチメディア放送(Ｄｉｇｉｔａｌ Ｍｕｌｔｉｍｅｄｉａ Ｂｒｏａｄｃａｓｔｉｎｇ：以下、‘ＤＭＢ’と称する)サービスについての関心が高くなっている。ＤＭＢとは、無指向性受信アンテナを装着した個人携帯用受信機または車両用受信機を通じて移動中にも多様なマルチメディア放送を多チャンネルで視聴できるようにする放送サービスを言う。
【０００３】
図１は、デジタルマルチメディア放送(ＤＭＢ)サービスの具現のためのシステム構成を示す例示図である。図１に示すように、ＤＭＢサービスの具現のためのシステムは、データ送出センター１０と、衛星２０と、受信装置(例えば、移動通信端末機３０、車両用受信機４０及び家庭用受信機５０など)と、を含む。データ送出センター１０は、デジタルマルチメディア放送データ(例えば、画像、音声及びデータ信号など)を圧縮した後に変調して衛星２０に送り出す。衛星２０は、データ送出センター１０から送り出された信号を受信して増幅した後に周波数変換してさらに地上に再伝送する。受信装置、例えば、移動通信端末機３０、車両用受信機４０及び/または家庭用受信機５０は、衛星２０から再伝送される信号の入力を受けて復調した後に圧縮を解除して本来の信号に各々変換して出力する。
【０００４】
このようなデジタル放送サービスの長所の中で一つは、アナログ放送サービスに比較してチャンネル効率が非常に良いということである。即ち、アナログ放送では一つの物理的なチャンネルに一つのプログラムしか存在しなかった。しかし、デジタル放送では一つの物理的なチャンネルに多数のプログラムを同時に伝達することができる。したがって、デジタル放送サービスは、非常に多いプログラムを提供することができ、視聴者が希望するプログラムを容易に選択できるようにするためにプログラム情報を提供しなければならない。このために作られたサービスがＥＰＧ(Ｅｌｅｃｔｒｏｎｉｃ Ｐｒｏｇｒａｍ Ｇｕｉｄｅ：以下、‘ＥＰＧ’と称する)サービスである。
【０００５】
ＥＰＧサービスは、プログラムを提供する放送局(あるいはケーブル放送のＳｅｒｖｉｃｅ Ｏｐｅｒａｔｏｒ(ＳＯ))で放送に関するさまざまなプログラム情報を視聴者に提供することにより視聴者がそのプログラム情報を参照できるようにするサービスである。例えば、ＥＰＧサービスは、各々のプログラムについてのプログラム題目、放映開始時間及び終映時間などの情報(以下、‘ＥＰＧデータ’と称する)を提供する。通常的にこのようなＥＰＧデータは所定周期を持って提供されるかまたはＥＰＧデータの変更時に提供される。
【０００６】
受信装置３０、４０、５０は、ＥＰＧデータを受信して内部に保存し、使用者の要請に応答してその保存されたＥＰＧデータを持ってデジタル放送プログラム情報を生成して使用者に提供する。
【０００７】
使用者がこのようなデジタル放送プログラム情報を確認するためには、受信装置３０、４０、５０の電源をオン(ｏｎ)してデジタル放送プログラム情報メニューに入って確認しなければならない。特に、デジタル放送受信と移動通信サービス兼用端末である移動通信端末３０の場合、移動通信端末３０の主電源をオンしてＤＭＢモジュールを動作させた後にＤＭＢモジュールに含まれたデジタル放送プログラム情報のメニューを選択する一連の過程を実行する必要があった。
【０００８】
しかし、単純にデジタル放送プログラム情報のみを確認するために上述の作業を実行することは、長時間がかかって煩わしい。また、前記情報の確認のためにデジタル放送受信用端末に含まれたすべての装置の電源をオンしなければならないので、電力効率面でも好ましくない。さらに、多様な情報を含むＥＰＧデータを単純にデジタル放送プログラムの案内のみのために活用する。即ち、ＥＰＧデータの活用が制限される。
【発明の開示】
【発明が解決しようとする課題】
【０００９】
本発明は、上述したような従来技術の問題点を解決するためになされたもので、その目的は、デジタル放送受信兼用移動通信端末及びデジタル放送受信専用端末の使用者がデジタル放送プログラム情報を便利に利用できるようにデジタル放送プログラム情報を案内するデジタル放送受信用端末及びその方法を提供することにある。
【００１０】
本発明の他の目的は、デジタル放送受信兼用移動通信端末及びデジタル放送受信専用端末がＥＰＧデータを利用して放送予約及び放送広告を含んだ多様なサービスが提供できるようにデジタル放送プログラム情報を案内するデジタル放送受信用端末及びその方法を提供することにある。
【００１１】
本発明のまた他の目的は、デジタル放送受信兼用移動通信端末及びデジタル放送受信専用端末において、デジタル放送プログラム情報の確認のための電力消耗を減らすようにデジタル放送プログラム情報を案内するデジタル放送受信用端末及びその方法を提供することにある。
【課題を解決するための手段】
【００１２】
上記課題を解決するための本発明によるデジタル放送受信兼用移動端末は、フォンモジュールと放送モジュールを含むデジタル放送受信兼用移動通信端末であって、前記フォンモジュールは、前記放送モジュールがデジタル放送プログラム案内データを受信して前記フォンモジュール及び放送モジュールに既保存されたデジタル放送プログラム案内データをアップデートするように前記放送モジュールのオン/オフを制御し、前記フォンモジュールに保存されたデジタル放送プログラム案内データに基づいてデジタル放送プログラム案内情報を出力し、前記放送モジュールは、前記フォンモジュールの制御によりオンされて前記放送モジュールに既保存されたデジタル放送プログラム案内データをアップデートし、そのデジタル放送プログラム案内データを前記フォンモジュールに伝達した後にオフされることを特徴とする。
【００１３】
また、本発明によるデジタル放送受信専用端末は、デジタル放送データ及びデジタル放送プログラム案内データを受信する受信部と、受信されたデジタル放送プログラム案内データを保存/管理するデジタル放送プログラム案内データ管理部と、前記デジタル放送プログラム案内データを出力する出力部と、周期的に前記デジタル放送プログラム案内データをアップデートして前記デジタル放送プログラム案内データに基づいてデジタル放送プログラム案内情報を出力するように、前記受信部、デジタル放送プログラム案内データ管理部及び出力部を制御する制御部と、を含むことを特徴とする。
【００１４】
また、本発明によるデジタル放送受信用端末のデジタル放送プログラム情報案内方法は、既設定されたデジタル放送プログラム情報の検索条件を満足する場合、自動にデジタル放送プログラム案内データをアップデートする過程と、既設定された出力オプションに基づいて前記デジタル放送プログラム案内データを利用したデジタル放送プログラム案内情報を生成して出力する過程と、を含むことを特徴とする。
【発明の効果】
【００１５】
本発明によれば、ＥＰＧデータを自動にアップデートしてその情報に基づいてデジタル放送プログラム情報を提供することにより、デジタル放送受信兼用移動通信端末及びデジタル放送受信専用端末の使用者がデジタル放送プログラム情報を便利に利用することができる。
【００１６】
また、デジタル放送受信兼用移動通信端末及びデジタル放送受信専用端末がＥＰＧデータに含まれたチャンネル情報を利用して放送予約及び放送広告を含んだ多様なサービスを提供することができる。
【００１７】
また、ＥＰＧデータのアップデートまたはデジタル放送プログラム情報を案内する際に、最小電源を維持するので、デジタル放送受信兼用移動通信端末及びデジタル放送受信専用端末においてデジタル放送プログラム情報の確認のための電力消耗を減らす効果がある。
【発明を実施するための最良の形態】
【００１８】
以下、本発明の好適な一実施形態について添付図面を参照しつつ詳細に説明する。下記の説明において、本発明の要旨のみを明確にする目的で、関連した公知機能又は構成に関する具体的な説明は省略する。
【００１９】
図２は、本発明の第１の実施形態によるデジタル放送受信兼用移動通信端末を示す概略的なブロック図である。図２に示すように、本発明の第１の実施形態による移動通信端末１００は、携帯電話機能を制御する携帯電話機能モジュール(例えば、フォンモジュール)１１０と、放送受信機能を制御する放送機能モジュール(例えば、ＤＭＢモジュール)１２０と、を含む。
【００２０】
フォンモジュール１１０は、携帯電話機能を含んだ移動通信端末の全般的な機能を制御する主制御部１１１(図２ではＭＳＭ(Ｍｏｂｉｌｅ Ｓｔａｔｉｏｎ Ｍｏｄｅｍ)チップに具現する、以下、‘ＭＳＭ’と称する)と、携帯電話機能を含んだ移動通信端末の全般的な機能と関連された情報をディスプレーする第１の表示部(ＬＣＤ: Ｌｉｑｕｉｄ Ｃｒｙｓｔａｌ Ｄｉｓｐｌａｙ)１１２と、オーディオ(ａｕｄｉｏ)信号を入力するマイク(Ｍｉｃ.)１１３と、ＭＳＭ１１１に制御命令を入力するキーパッド１１４と、携帯電話機能実行と関連されたオーディオ信号を出力する第１のスピーカー１１５と、携帯電話機能を含んだ移動通信端末の全般的な機能と関連された情報を保存する第１の保存部１１６と、を含む。この時、第１のスピーカー１１５は受話器(ｒｅｃｅｉｖｅｒ)として動作する装置である。
【００２１】
ＤＭＢモジュール１２０は、ＤＭＢデータを受信するＤＭＢ受信部１２２と、ＤＭＢデータを解読して使用者に提供するための情報として出力するＤＭＢ制御部１２１と、ＤＭＢ制御部１２１から出力された映像情報をディスプレーする第２のＬＣＤ１２３と、ＤＭＢ制御部１２１から出力されたオーディオ(ａｕｄｉｏ)信号を出力する第２のスピーカー１２４と、ＤＭＢサービス提供と関連された情報を保存する第２の保存部１２５と、を含む。この時、第２のスピーカー１２４は、マルチメディア情報に含まれた音響情報を出力するための装置として、ステレオ(ｓｔｅｒｅｏ)機能が具現される。また、第２のＬＣＤ１２３は、マルチメディア情報に含まれた映像情報を出力するための装置である。第２のスピーカー１２４と第２のＬＣＤ１２３はデジタル放送を出力するための出力インターフェース部を構成する。出力インターフェース部は、デジタル放送の形態によってスピーカーとＬＣＤの中でいずれの一つだけで構成することもできる。例えば、デジタルオーディオ放送(Ｄｉｇｉｔａｌ Ａｕｄｉｏ Ｂｒｏａｄｃａｓｔ)の場合にはスピーカーだけで出力インターフェース部が構成される。
【００２２】
一方、第１のスピーカー１１５と第２のスピーカー１２４、第１のＬＣＤ１１２と第２のＬＣＤ１２３は、各々ハードウェア的に分離構成することもでき、一つのスピーカーと一つのＬＣＤ自体で構成することもできる。
【００２３】
また、本発明の実施形態では、フォンモジュール１１０とＤＭＢモジュール１２０は物理的に分離した場合を仮定して説明するが、フォンモジュール１１０とＤＭＢモジュール１２０を全部またはその一部を一つのチップで構成することも可能である。例えば、移動通信網を通じて受信されるデータを処理する部分とデジタル放送データを処理する部分を一つのチップで構成することができる。特に、ＣＤＭＡ(Ｃｏｄｅ Ｄｉｖｉｓｉｏｎ Ｍｕｌｔｉｐｌｅ Ａｃｃｅｓｓ)方式の移動通信とＣＤＭ(Ｃｏｄｅ Ｄｉｖｉｓｉｏｎ Ｍｕｌｔｉｐｌｅｘ)方式を使用するＤＭＢの場合、一つの統合されたチップで具現することが可能である。しかし、この場合にも一つのチップ内で移動通信網を通じたデータの受信と処理を実行する部分は本発明のフォンモジュールに該当し、ＤＭＢデータを受信して処理する部分は本発明のＤＭＢモジュールに該当する。
【００２４】
このように構成された本発明の移動通信端末１００は、フォンモジュール１１０の制御により周期的にＤＭＢモジュール１２０がパワーオン(ｐｏｗｅｒ−ｏｎ)されてＥＰＧデータを受信し、そのＥＰＧデータをフォンモジュール１１０に伝達した後に間もなくパワーオフ(ｐｏｗｅｒ−ｏｆｆ)されるように動作する。
【００２５】
例えば、ＭＳＭ１１１は、使用者の要請または既設定されたスケジューリング情報(例えば、タイマー(ｔｉｍｅｒ)信号など)によってＤＭＢモジュール１２０をパワーオンさせる。それでは、ＤＭＢモジュール１２０のＤＭＢ制御部１２１は、ＤＭＢ受信部１２２がＥＰＧデータを受信してそのＥＰＧデータを第２の保存部１２５に保存すると同時にＭＳＭ１１１に伝達するように制御する。ＭＳＭ１１１は、ＤＭＢモジュール１２０から受信したＥＰＧデータを第１の保存部１１６に保存する。そして、周期的または使用者の要求によってそのＥＰＧデータを利用してデジタル放送プログラム情報を多様に提供する。例えば、デジタル放送プログラムの時間情報及び放送予告情報などを提供する。
【００２６】
図３乃至図５には、移動通信端末１００(即ち、デジタル放送受信兼用移動通信端末)を利用してデジタル放送プログラム情報を案内する方法が示されている。
図３は、本発明の第２の実施形態によるデジタル放送プログラム情報の案内方法を示すフローチャートである。図２及び図３を参照して、本発明の第２の実施形態によるデジタル放送プログラム情報の案内方法について説明する。
【００２７】
まず、フォンモジュール１１０は、ＤＭＢモジュール１２０がオフされた状態でＥＰＧチャンネル検索条件を満足するか否かを確認する(ステップ１０１)。例えば、フォンモジュール１１０のＭＳＭ１１１は、キーパッド１１４を通じて使用者のデジタル放送プログラム情報の要請信号が入力されたか否かまたは既保存されたスケジューラによりＥＰＧチャンネルを検索する時間になったか否かを確認する。該確認の結果、ＥＰＧチャンネル検索条件を満足する場合には、フォンモジュール１１０はＤＭＢモジュール１２０にＤＭＢモジュール１２０を駆動させるための命令語を伝達する(ステップ１０３)。即ち、フォンモジュール１１０はＤＭＢモジュール１２０をパワーオンさせるための制御信号を出力する。ＥＰＧチャンネル検索条件は、使用者により設定された所定の時間周期であるか使用者の一時的な命令や放送事業者のＥＰＧ情報伝達周期に合わせて自動に設定される時間周期であることができる。特に、ステップ１０１で、既保存されたスケジューラによりＥＰＧチャンネルの検索時間を確認する場合には、フォンモジュール１１０は使用者から別の操作信号の入力を受けないで自動にＤＭＢモジュール駆動命令をＤＭＢモジュール１２０に伝達する。
【００２８】
そして、ＤＭＢモジュール１２０は、その制御信号に応答してパワーオンし(ステップ１０５)、ＥＰＧデータをアップデート(ｕｐｄａｔｅ)する(ステップ１０７)。即ち、デジタル放送データを送り出す放送局などからＥＰＧデータを受信して既保存されたＥＰＧデータをアップデートする。この時、ＤＭＢモジュール１２０でＥＰＧデータをアップデートする方法自体は本願の要旨を脱するのでＥＰＧデータをアップデートする方法についての具体的な説明は省略する。ステップ１０７でＥＰＧデータをアップデートしたＤＭＢモジュール１２０は、そのアップデートされたＥＰＧデータをフォンモジュール１１０に伝達した後(ステップ１０９)、パワーオフする(ステップ１１１)。この時、ＤＭＢモジュール１２０のパワーオフは、ＤＭＢモジュール１２０で自体的に実行することもでき、ＥＰＧデータを受信したフォンモジュール１１０の制御を受けて実行することもできる。
【００２９】
一方、ＥＰＧデータを受信したフォンモジュール１１０は、ＥＰＧデータを第１の保存部１１６に保存する(ステップ１１３)。そして、使用者に新しいＥＰＧデータが保存されたことを知らせる(ステップ１１５)。例えば、フォンモジュール１１０は、アラーム、ベル及び振動などの方法を利用して使用者に新しいＥＰＧデータの保存を知らせる。しかし、使用者に新しいＥＰＧデータが保存されたことを知らせる過程(ステップ１１５)は省略することもできる。
【００３０】
使用者がデジタル放送プログラム情報の案内を要請すれば(ステップ１１７)、フォンモジュール１１０は第１の保存部１１６に保存されたＥＰＧデータを利用してデジタル放送プログラム情報を出力する(ステップ３００)。例えば、現在放送中であるプログラム(例えば、コンテンツ(ｃｏｎｔｅｎｔｓ)など)情報と特定時間に放送予定であるプログラム情報などを出力する。この時、その出力形態は視覚または聴覚の中で少なくともいずれの一つの形態を持つことが好ましい。また、前記過程(ステップ３００)は、ＤＭＢモジュール１２０のオン/オフ状態と関係なく実行することにより、デジタル放送プログラム情報の案内のための不必要な電力の浪費を減らすことができる。
【００３１】
前記過程(ステップ３００)においてデジタル放送プログラム情報を出力する方法は、図５に例示されている。したがって、前記過程(ステップ３００)においてデジタル放送プログラム情報を出力する方法についての詳細な説明は、図５を参照して後述する。
【００３２】
図４は、本発明の第３の実施形態によるデジタル放送プログラム情報の案内方法を示すフローチャートである。図２及び図４を参照すれば、フォンモジュール１１０がＤＭＢモジュール１２０を駆動させてＤＭＢモジュール１２０からＥＰＧデータを受信して保存する一連の過程(ステップ２０１乃至ステップ２１３)は、図３に示された第２の実施形態の実行過程(ステップ１０１乃至ステップ１１３)と類似である。即ち、図４に示された過程(ステップ２０１乃至ステップ２１３)は各々図３に示された過程(ステップ１０１乃至ステップ１１３)と類似である。したがって、前記過程(ステップ２０１乃至ステップ２１３)についての詳細な説明は省略する。
【００３３】
図４に示すように、本発明の第３の実施形態の場合、フォンモジュール１１０が自体的にデジタル放送プログラム情報の出力条件を確認し(ステップ２１５)、デジタル放送プログラム情報の出力条件を満足する場合、フォンモジュール１１０はその保存されたＥＰＧデータを利用してデジタル放送プログラム情報を出力する(ステップ３００)。例えば、現在放送中であるプログラム(例えば、コンテンツなど) 情報と特定時間に放送予定であるプログラム情報などを出力する。この時、その出力形態は視覚または聴覚の中で少なくともいずれの一つの形態を持つことが好ましい。
【００３４】
前記過程(ステップ３００)におけるデジタル放送プログラム情報を出力する方法は、図５に例示されている。したがって、前記過程(ステップ３００)においてデジタル放送プログラム情報を出力する方法についての詳細な説明は図５を参照して後述する。
【００３５】
図５は、本発明の第２の及び第３の実施形態によるデジタル放送プログラム案内情報の出力過程を示すフローチャートである。図５に示すように、本発明の第２の及び第３の実施形態によるデジタル放送プログラム案内情報の出力過程(ステップ３００)は、次のようである。まず、フォンモジュール１１０は、その出力オプションを確認し(ステップ３０１)、その結果によってデジタル放送プログラム案内情報の出力を実行する。例えば、デジタル放送プログラム案内情報の出力オプションが‘全ての情報/選好チャンネル情報/時間指定’の中で何かを確認して(ステップ３０３)それによる動作を実行する。
【００３６】
該オプションが‘全ての情報’である場合は、フォンモジュール１１０内に保存された全てのＥＰＧデータによるデジタル放送プログラム情報を出力する(ステップ３０５)。即ち、オプションが‘全ての情報’である場合には、フォンモジュール１１０は内部に保存されたすべてのＥＰＧデータを利用してデジタル放送プログラム情報を生成した後にそのデジタル放送プログラム情報を出力する。
【００３７】
該オプションが‘選好チャンネル情報’である場合は、フォンモジュール１１０は内部に保存されたＥＰＧデータの中で使用者が選好チャンネルと指定したチャンネルのＥＰＧデータを利用してデジタル放送プログラム情報を生成した後にそのデジタル放送プログラム情報を出力する(ステップ３０７)。
【００３８】
一方、該オプションが‘時間指定’である場合には、使用者が特定時間を指定したか否かを判断して(ステップ３０９)、使用者が特定時間を指定した場合には、その指定された時間についてのチャンネル別ＥＰＧデータによるデジタル放送プログラム情報を出力する(ステップ３１１)。そして、使用者が特定時間を指定しなかった場合には、現在時間についてのチャンネル別ＥＰＧデータに基づいてデジタル放送プログラム情報を出力する(ステップ３１３)。
【００３９】
図６は、本発明の実施形態によってデジタル放送受信用端末に保存されたＥＰＧデータを示す例示図である。図６に示すように、ＥＰＧデータはチャンネル及び時間別にプログラム情報を含む。したがって、前記過程(ステップ３００)は、ＥＰＧデータに基づいてデジタル放送プログラム情報を出力するために必要な時間及びチャンネルに対応するプログラム情報を抽出して出力する。
【００４０】
もし、ＥＰＧデータにプログラム広告情報が含まれている場合には、その情報を利用して使用者に広告情報を提供することもできる。即ち、プログラム案内と広告時間情報を含む広告情報に基づいて該当プログラムについての広告放送を実行することもできる。
【００４１】
図７は、本発明の第４の実施形態によるデジタル放送受信専用端末を示す概略的なブロック図である。図７に示すように、本発明の第４の実施形態によるデジタル放送受信専用端末２００は、ＤＭＢ制御部２１０と、ＤＭＢ受信部２２０と、ＥＰＧ管理部２３０と、操作信号入力部２４０と、ＬＣＤ２５０と、スピーカー２６０と、を含む。
【００４２】
ＤＭＢ制御部２１０は、操作信号入力部２４０を通じて入力される命令語及び既保存された動作プログラムに基づいてデジタル放送受信専用端末２００の動作を制御する。特に、周期的にＥＰＧデータを自動アップデートしてその情報に基づいて使用者にデジタル放送プログラムの案内情報を提供するように、ＤＭＢ受信部２２０、ＥＰＧ管理部２３０、ＬＣＤ２５０及びスピーカー２６０の動作を制御する。ＥＰＧデータの自動アップデート動作は、放送事業者が提供するＥＰＧ情報伝達周期に合わせて施行することができる。この時、デジタル放送受信専用端末２００が最小電力だけを使用するようにすることが好ましい。例えば、ＤＭＢ制御部２１０は、ＥＰＧデータを受信してアップデートする場合、ＤＭＢ受信部２２０及びＥＰＧ管理部２３０だけが動作するように電源を制御し、ＥＰＧデータのアップデート後にその情報に基づいてデジタル放送プログラムの案内情報を提供する動作を実行する際にはＬＣＤ２５０及び/またはスピーカー２６０とＥＰＧ管理部２３０だけが動作するように電源を制御することが好ましい。
【００４３】
ＤＭＢ受信部２２０は、ＤＭＢ制御部２１０の制御によりＤＭＢデータ及びＥＰＧデータを受信してＤＭＢ制御部２１０に伝達し、ＥＰＧ管理部２３０は、ＤＭＢ制御部２１０の制御により受信されたＥＰＧデータを保存/管理する。ＬＣＤ２５０及びスピーカー２６０は、ＤＭＢ制御部２１０の制御により受信されたＤＭＢデータを出力する。また、ＬＣＤ２５０及びスピーカー２６０は、ＥＰＧ管理部２３０に保存されたＥＰＧデータにより生成されたデジタル放送プログラムの案内情報を出力する。この時、ＬＣＤ２５０は、ＤＭＢデータまたはデジタル放送プログラムの案内情報の中で映像情報をディスプレーし、スピーカー２６０は、ＤＭＢデータまたはデジタル放送プログラムの案内情報の中でオーディオ信号を出力する。
【００４４】
図８は、本発明の第５の実施形態によるデジタル放送プログラム情報の案内方法を示すフローチャートである。図７及び図８を参照すれば、本発明の第５の実施形態によるデジタル放送プログラム情報の案内方法は、次のようである。
【００４５】
まず、ＤＭＢ制御部２１０は、ＥＰＧチャンネル検索条件を満足するか否かを確認し(ステップ４０１)、その結果によってＥＰＧデータをアップデートするか否かを決定する。例えば、ＤＭＢ制御部２１０は、既保存されたスケジューラによりＥＰＧチャンネルを検索する時間になったか否かを確認する。ＥＰＧチャンネル検索条件は、使用者により設定された所定の時間周期にするか放送事業者のＥＰＧ情報伝達周期に合わせて自動に設定される時間周期にすることができる。該確認の結果、ＥＰＧチャンネル検索条件を満足する場合には、ＤＭＢ制御部２１０は、ＤＭＢ受信部２２０及びＥＰＧ管理部２３０を駆動させる(ステップ４０３)。即ち、ＤＭＢ制御部２１０は使用者の操作命令なしに自動にＤＭＢ受信部２２０及びＥＰＧ管理部２３０を駆動させるための命令語を発生してＤＭＢ受信部２２０及びＥＰＧ管理部２３０を駆動させる。その結果、ＤＭＢ受信部２２０を通じて受信されたＥＰＧデータを受信してＥＰＧ管理部２３０に保存されたＥＰＧデータをアップデートする(ステップ４０５)。前記過程(ステップ４０５)におけるＤＭＢデータをアップデートする方法自体は本願の要旨を脱するのでＤＭＢデータアップデート方法についての具体的な説明は省略する。
【００４６】
自動にＥＰＧデータをアップデートした場合、ＤＭＢ制御部２１０はＤＭＢ受信部２２０及びＥＰＧ管理部２３０の動作を終了させる(ステップ４０７)。この時、ＤＭＢ制御部２１０は、ＤＭＢ受信部２２０及びＥＰＧ管理部２３０を駆動させる場合と同様に使用者の操作命令なしに自動にＤＭＢ受信部２２０及びＥＰＧ管理部２３０の動作を終了させるための命令語を発生させる。
【００４７】
一方、デジタル放送プログラム情報の案内要請があれば(ステップ４０９)、ＤＭＢ制御部２１０は、デジタル放送プログラム情報を出力するためにＥＰＧ管理部２３０、ＬＣＤ２５０及びスピーカー２６０を駆動させる(ステップ４１１)。そして、そのアップデートされたＥＰＧデータに基づいてデジタル放送プログラム情報を出力する(ステップ４１３)。例えば、現在放送中であるプログラム(例えば、コンテンツなど)情報と特定時間に放送予定であるプログラム情報などを出力する。この時、その出力形態は視覚または聴覚の中で少なくともいずれの一つの形態を持つことが好ましい。前記過程(ステップ４１３)においてデジタル放送プログラム情報を出力する方法についての詳細な説明は、図５の説明と類似である。即ち、デジタル放送プログラム案内情報の出力オプションによって対応するＥＰＧデータに基づいてデジタル放送プログラム案内情報を出力する。
【００４８】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００４９】
【図１】デジタルマルチメディア放送(ＤＭＢ)サービスの具現のためのシステム構成を示す例示図である。
【図２】本発明の第１の実施形態によるデジタル放送受信兼用移動通信端末を示す概略的なブロック図である。
【図３】本発明の第２の実施形態によるデジタル放送プログラム情報の案内方法を示すフローチャートである。
【図４】本発明の第３の実施形態によるデジタル放送プログラム情報の案内方法を示すフローチャートである。
【図５】本発明の第２の及び第３の実施形態によるデジタル放送プログラム案内情報の出力過程を示すフローチャートである。
【図６】本発明の実施形態によってデジタル放送受信用端末に保存されたＥＰＧデータを示す例示図である。
【図７】本発明の第４の実施形態によるデジタル放送受信専用端末を示す概略的なブロック図である。
【図８】本発明の第５の実施形態によるデジタル放送プログラム情報案内方法を示すフローチャートである。
【符号の説明】
【００５０】
１００      移動通信端末
１１０      携帯電話機能モジュール(例えば、フォンモジュール)
１１１      主制御部
１１２      第１の表示部
１１３      マイク
１１４      キーパッド
１１５      第１のスピーカー
１１６      第１の保存部
１２０      放送機能モジュール(例えば、ＤＭＢモジュール)
１２１      ＤＭＢ制御部
１２２      ＤＭＢ受信部
１２３      第２のＬＣＤ
１２４      第２のスピーカー
１２５      第２の保存部
２００      デジタル放送受信専用端末
２１０      ＤＭＢ制御部
２２０      ＤＭＢ受信部
２３０      ＥＰＧ管理部
２４０      操作信号入力部
２５０      ＬＣＤ
２６０      スピーカー
【図１】
2006005935.tif 000003
【図２】
2006005935.tif 000004
【図３】
2006005935.tif 000005
【図４】
2006005935.tif 000006
【図５】
2006005935.tif 000007
【図６】
2006005935.tif 000008
【図７】
2006005935.tif 000009
【図８】
2006005935.tif 000010